(57)【要約】【課題】電力系統制御システムに対する各種操作を容易に可能とすることによって誤操作を防止し、システムの誤動作を回避する。【解決手段】マンマシンインタフェース１を備え、このマンマシンインタフェース１の操作によりシステムを設定・運用・保守する電力系統制御システムにおいて、不具合発生時のシステム復旧操作ガイダンスの表示を選定するガイダンスボタン１３２および不具合発生時のシステム復旧操作ガイダンスの内容を表示する表示部１１を前記マンマシンインタフェース１に備え、システム不具合時に前記ガイダンスボタン１３が操作されると、不良部位，不良原因，システム復旧に必要な復旧操作方法が前記表示部１１に表示されることを特徴とする電力系統制御システム。【選択図】図１
2007325391.tif 000002
【特許請求の範囲】
【請求項１】
マンマシンインタフェースを備え、このマンマシンインタフェースの操作によりシステムを設定・運用・保守する電力系統制御システムにおいて、不具合発生時のシステム復旧操作ガイダンスの表示を選定するガイダンスボタンおよび不具合発生時のシステム復旧操作ガイダンスの内容を表示する表示部を前記マンマシンインタフェースに備え、システム不具合時に前記ガイダンスボタンが操作されると、不良部位，不良原因，システム復旧に必要な復旧操作方法が前記表示部に表示されることを特徴とする電力系統制御システム。
【請求項２】
マンマシンインタフェースを備え、このマンマシンインタフェースの操作によりシステムを設定・運用・保守する電力系統制御システムにおいて、運転保守時に運転保守を選定するガイダンスボタンおよび運転保守の操作ガイダンスの内容を表示する表示部を前記マンマシンインタフェースに備え、運転保守時に前記ガイダンスボタンが操作されると、運転保守に必要な運転保守操作方法が前記表示部に表示されることを特徴とする電力系統制御システム。
【請求項３】
マンマシンインタフェースを備え、このマンマシンインタフェースの操作によりシステムを設定・運用・保守する電力系統制御システムにおいて、整定値の変更時に整定値の変更操作を選定するガイダンスボタンおよび整定値変更の操作ガイダンスの内容を表示する表示部を前記マンマシンインタフェースに備え、整定値の変更操作時に前記ガイダンスボタンが操作されると、整定値の変更操作に必要な整定値の変更操作方法が前記表示部に表示されることを特徴とする電力系統制御システム。
【発明の詳細な説明】
【技術分野】
【０００１】
この発明は、マンマシンインタフェースを備え、このマンマシンインタフェースの操作によりシステムを設定・運用・保守する電力系統制御システムに関するものである。
【背景技術】
【０００２】
従来、電力系統の保護及び制御を行うこの種の電力系統保護・制御システムにおいては、システムの動作状況は、表面に配設された表示パネル上のＬＥＤにより表示されている。また、キースイッチやテンキースイッチを別途備えて、これらの各スイッチの操作によりシステムに対し各種の整定値が設定されると共に、設定された整定値に基づいてシステムの運用が定められるものとなっている。
【０００３】
【特許文献１】特開平６−３２７１３５号公報（図１及びその説明）
【発明の開示】
【発明が解決しようとする課題】
【０００４】
しかし従来の電力系統保護・制御システムは、システムに対し各種の操作をする場合は操作が複雑であり、従って誤操作によりシステムが誤動作するという問題があった。またシステムの操作時には、相当な操作知識が要求され、扱い者に操作知識が無い場合はシステムの操作を行うことができないという問題もあった。
【０００５】
この発明は、前述のような実情に鑑みてなされたもので、システムに対する各種操作を容易に可能とすることによって誤操作を防止し、システムの誤動作を回避することを目的とするものである。
【課題を解決するための手段】
【０００６】
この発明に係る電力系統制御システムは、マンマシンインタフェースを備え、このマンマシンインタフェースの操作によりシステムを設定・運用・保守する電力系統制御システムにおいて、不具合発生時のシステム復旧操作ガイダンスの表示を選定するガイダンスボタンおよび不具合発生時のシステム復旧操作ガイダンスの内容を表示する表示部を前記マンマシンインタフェースに備え、システム不具合時に前記ガイダンスボタンが操作されると、不良部位，不良原因，システム復旧に必要な復旧操作方法が前記表示部に表示されるものである。
【０００７】
また、この発明に係る電力系統制御システムは、マンマシンインタフェースを備え、このマンマシンインタフェースの操作によりシステムを設定・運用・保守する電力系統制御システムにおいて、運転保守時に運転保守を選定するガイダンスボタンおよび運転保守の操作ガイダンスの内容を表示する表示部を前記マンマシンインタフェースに備え、運転保守時に前記ガイダンスボタンが操作されると、運転保守に必要な運転保守操作方法が前記表示部に表示されるものである。
【０００８】
また、この発明に係る電力系統制御システムは、マンマシンインタフェースを備え、このマンマシンインタフェースの操作によりシステムを設定・運用・保守する電力系統制御システムにおいて、整定値の変更操作時時に整定値の変更操作を選定するガイダンスボタンおよび整定値変更の操作ガイダンスの内容を表示する表示部を前記マンマシンインタフェースに備え、整定値の変更操作時に前記ガイダンスボタンが操作されると、整定値の変更操作に必要な整定値の変更操作方法が前記表示部に表示されるものである。
【発明の効果】
【０００９】
この発明は、マンマシンインタフェースを備え、このマンマシンインタフェースの操作によりシステムを設定・運用・保守する電力系統制御システムにおいて、不具合発生時のシステム復旧操作ガイダンスの表示を選定するガイダンスボタンおよび不具合発生時のシステム復旧操作ガイダンスの内容を表示する表示部を前記マンマシンインタフェースに備え、システム不具合時に前記ガイダンスボタンが操作されると、不良部位，不良原因，システム復旧に必要な復旧操作方法が前記表示部に表示されるようにしてあるので、システム不具合時には、ガイダンスボタンを選定するだけで、不具合発生時のシステム復旧操作ガイダンスの内容が表示部に表示され、従って、容易にシステム復旧操作が行えると共に、復旧操作ミスが無くなりシステムの誤動作を防止できるという効果がある。
【００１０】
また、この発明は、マンマシンインタフェースを備え、このマンマシンインタフェースの操作によりシステムを設定・運用・保守する電力系統制御システムにおいて、運転保守時に運転保守を選定するガイダンスボタンおよび運転保守の操作ガイダンスの内容を表示する表示部を前記マンマシンインタフェースに備え、運転保守時に前記ガイダンスボタンが操作されると、運転保守に必要な運転保守操作方法が前記表示部に表示されるようにしてあるので、運転保守時には、ガイダンスボタンを選定するだけで、運転保守時の運転保守操作ガイダンスの内容が表示部に表示され、従って、容易に運転保守操作が行えると共に、運転保守操作ミスが無くなりシステムの誤動作を防止できるという効果がある。
【００１１】
また、この発明は、マンマシンインタフェースを備え、このマンマシンインタフェースの操作によりシステムを設定・運用・保守する電力系統制御システムにおいて、整定値の変更操作時時に整定値の変更操作を選定するガイダンスボタンおよび整定値変更の操作ガイダンスの内容を表示する表示部を前記マンマシンインタフェースに備え、整定値の変更操作時に前記ガイダンスボタンが操作されると、整定値の変更操作に必要な整定値の変更操作方法が前記表示部に表示されるようにしてあるので、整定値の変更操作時には、ガイダンスボタンを選定するだけで、整定値の変更操作ガイダンスの内容が表示部に表示され、従って、容易に整定値の変更操作が行えると共に、整定値の変更ミスが無くなりシステムの誤動作を防止できるという効果がある。
【発明を実施するための最良の形態】
【００１２】
実施の形態１．
以下この発明の実施の形態１を図１および図２により説明する。図１は電力系統保護・制御システムの要部のシステム構成の事例を示すブロック図、図２は図１に例示のシステムの動作をフローチャートで示す図である。
【００１３】
図１において、上記電力系統保護・制御システムは、マンマシンインタフェース部１、リレー演算部２、出力部３などから構成される。
ここでマンマシンインタフェース部１は、表示部１１、表示部制御Ｈ／Ｗ（ハードウェア）１２、上記システムに整定値などを設定するための操作部１３、操作部制御Ｈ／Ｗ１４から構成される。
また、表示部１１には、システムの状態を表示するＬＥＤ１１１、日本語表示パネル１１２が設けられている。
操作部１３には、整定開始スイッチ１３１、ガイダンスボタン１３２が設けられている。  
【００１４】
また、図２は、図１のシステムの動作を示すフローチャートであり、上記システムに対するシステム不具合発生時の復旧操作を示すものである。図１のブロック図及び図２のフローチャートに基づいて上記システムの動作について説明する。
【００１５】
上記システムにおいて不具合が発生した場合、ステップ２００によりリレー演算部２でシステム不具合を検出し、マンマシンインタフェース部１の表示部１１にあるＬＥＤ１１１に出力をする。
ここで、不具合とは、例えば、復旧が可の可能性のある不具合としては例えばＤＯ（ディジタルアウトプット）出力監視異常、復旧が不可と思われる不具合としては例えばインバリッドチェック（不正命令）、等である。
【００１６】
上記システムの不具合発生時の復旧操作は、まずステップ２０１において、操作部１３にあるガイダンスボタン１３２を押す。この際、復旧操作でシステムが回復するかどうかをステップ２０２で判断する。このステップ２０２での判断はリレー演算部２で行われる。
【００１７】
回復が可能と判断された場合、ステップ２０３において日本語表示パネル１１２に不良部位、原因、復旧方法を、一画面に纏めて表示したり、スクロールすることで順に表示したりする。これらの表示は、例えば、前記ＤＯ出力監視異常の場合であれば、不良部位としては例えば表示部、出力部などと表示され、原因としては例えば整定不良、ＤＯ部不良、などと表示され、復旧方法としては例えば整定値の変更、ＤＯカード交換などと表示される。
なお、整定値の変更の表示に沿って実際に変更するのは一般的には現地で変更（即ち復旧作業）が行なわれ、ＤＯカード交換の表示に沿って実際に交換するのは一般的には部品交換による復旧作業となる。
【００１８】
ステップ２０４で再度ガイダンスボタンを押すことにより、ガイダンス表示が消灯する。その後、ステップ２０５で、前記ステップ２０３の復旧方法によって復旧操作を行う。復旧操作が完了した時点で表示部のＬＥＤをステップ２０６で消灯する。なお、或る操作している最中（例えば復旧する為に整定値を変更している場合）に、ガイダンスボタンを押すと、その時に操作している項目について使用方法をサポート（ガイダンスを表示）するようにしてあれば至便である。
【００１９】
回復が不可能と判断された場合、ステップ２０７において日本語表示パネル１１２に不良部位、原因、復旧不可であることを表示する。
【００２０】
このように、この発明のシステムにおいては、システム不具合時に上記ガイダンス専用ボタンにより、不良部位，原因，システム復旧に必要な復旧操作方法を前記の日本語表示パネルにより表示するようにしたので、容易にシステム復旧操作が行えると共に、復旧操作ミスが無くなりシステムの誤動作を防止できるという効果がある。
【００２１】
つまり、マンマシンインタフェースを備え、このマンマシンインタフェースの操作によりシステムを設定・運用・保守する電力系統制御システムにおいて、不具合発生時のシステム復旧操作ガイダンスの表示を選定するガイダンスボタンおよび不具合発生時のシステム復旧操作ガイダンスの内容を表示する表示部を前記マンマシンインタフェースに備え、システム不具合時に前記ガイダンスボタンが操作されると、不良部位，不良原因，システム復旧に必要な復旧操作方法が前記表示部に表示されるようにしてあるので、システム不具合時には、ガイダンスボタンを選定するだけで、不具合発生時のシステム復旧操作ガイダンスの内容が表示部に表示され、従って、容易にシステム復旧操作が行えると共に、復旧操作ミスが無くなりシステムの誤動作を防止できるという効果がある。
【００２２】
実施の形態２．
以下、この発明の実施の形態２を図３により説明する。図３は、システムの動作を示すフローチャートであり、上記システムに対する電力系統保護制御システムの運用時の操作を示すものである。
【００２３】
図１のブロック図及び図３のフローチャートに基づいて上記実施例装置の動作について説明する。
【００２４】
上記システムの運用時の運転保守業務において、まずステップ３０１において、操作部１３にあるガイダンスボタン１３２を押すことにより、ステップ３０２において日本語表示パネル１１２に運転保守情報に必要な計測データを表示する。必要な情報が複数ある場合には、ステップ３０４で更にガイダンスボタンを押すとステップ３０５のように次の項目が表示される。ステップ３０３で最終項目まで表示された後、ステップ３０６のようにガイダンスボタンを押すと消灯する。
【００２５】
このように、この発明のシステムにおいては、システム運用時に上記ガイダンス専用ボタンにより、電力会社の運転保守業務に必要な情報のみを前記の日本語表示パネルにより表示するようにしたので、運転中に容易に運転保守に必要な情報（例えば、遮断器ＣＢの状態、点検回数、入力電気量、等）を確認することができると共に、確認操作時の誤操作によりシステムの誤動作を防止できるという効果がある。
【００２６】
つまり、マンマシンインタフェースを備え、このマンマシンインタフェースの操作によりシステムを設定・運用・保守する電力系統制御システムにおいて、運転保守時に運転保守を選定するガイダンスボタンおよび運転保守の操作ガイダンスの内容を表示する表示部を前記マンマシンインタフェースに備え、運転保守時に前記ガイダンスボタンが操作されると、運転保守に必要な運転保守操作方法が前記表示部に表示されるようにしてあるので、運転保守時には、ガイダンスボタンを選定するだけで、運転保守時の運転保守操作ガイダンスの内容が表示部に表示され、従って、容易に運転保守操作が行えると共に、運転保守操作ミスが無くなりシステムの誤動作を防止できるという効果がある。
【００２７】
更に、システムの操作マニュアル等が無くても操作が可能になり、従って、システムの扱い者が限定されずに、誰でも容易に整定値を変更することができる。
なお、整定値とは、保護リレー要素などの整定値であり、整定値を変更するということは、例えば、過電流リレーの整定値を、例えば２Ａから１０Ａに変更することを意味する。
【００２８】
実施の形態３．
以下、この発明の実施の形態３を図４によって説明する。図４は、システムの動作を示すフローチャートであり、上記電力系統保護制御システムに対する整定値変更時の操作を示すものである。
【００２９】
図１のブロック図及び図４のフローチャートに基づいて上記実施例装置の動作について説明する。
【００３０】
上記システムにおいて整定を行う場合、ステップ４０１により整定開始スイッチ１３１を押した後、ステップ４０２で操作部１３にあるガイダンスボタン１３２を押すことにより、ステップ４０３で日本語表示パネル１１２に整定操作手順を表示する。
【００３１】
ステップ４０４で再度ガイダンスボタンを押すことにより、ガイダンス表示が消灯する。
【００３２】
その後、ステップ４０５で、前記ステップ４０３の整定方法によって整定操作を行う。
【００３３】
このように、この発明のシステムにおいては、整定値の変更操作時に上記ガイダンス専用ボタンにより、整定値の変更操作手順に沿った操作内容を前記の日本語表示パネルにより表示するようにしたので、容易に整定値の変更操作が行えると共に、整定値変更操作ミスが無くなりシステムの誤動作を防止できるという効果がある。
【００３４】
つまり、マンマシンインタフェースを備え、このマンマシンインタフェースの操作によりシステムを設定・運用・保守する電力系統制御システムにおいて、整定値の変更操作時時に整定値の変更操作を選定するガイダンスボタンおよび整定値変更の操作ガイダンスの内容を表示する表示部を前記マンマシンインタフェースに備え、整定値の変更操作時に前記ガイダンスボタンが操作されると、整定値の変更操作に必要な整定値の変更操作方法が前記表示部に表示されるようにしてあるので、整定値の変更操作時には、ガイダンスボタンを選定するだけで、整定値の変更操作ガイダンスの内容が表示部に表示され、従って、容易に整定値の変更操作が行えると共に、整定値の変更ミスが無くなりシステムの誤動作を防止できるという効果がある。
【００３５】
なお、前述の実施の形態における不具合発生時に操作するガイダンスボタン、運転保守時に操作するガイダンスボタン、整定値の変更時操作するガイダンスボタン、の各ボタンは個別に設けてもよいが、共通のボタンとしてもよく、共通のボタンとする場合は、例えば、無操作、無表示の状態でガイダンスボタンを押すと、先ず運転保守に関するガイダンスが表示され、整定値の変更に関するガイダンスは、整定開始ボタンを押した後にガイダンスボタンを押すと整定値の変更に関するガイダンスが表示されるようにしてもよい。
【００３６】
なお、ガイダンス内容のＳ／Ｗは、前述の実施の形態では、例えば、前記リレー演算部２に格納されている。
【図面の簡単な説明】
【００３７】
【図１】この発明の実施の形態１を示す図で、システム構成の事例をブロック図で示す図である。
【図２】この発明の実施の形態１を示す図で、図１に例示のシステムの動作をフローチャートで示す図である。
【図３】この発明の実施の形態２を示す図で、システムの動作をフローチャートで示す図である。
【図４】この発明の実施の形態３を示す図で、システムの動作をフローチャートで示す図である。
【符号の説明】
【００３８】
１    マンマシンインタフェース部、
２    リレー演算部、
３    出力部、
１１    表示部、
１２    表示部制御Ｈ／Ｗ、
１３    操作部、
１４    操作部制御Ｈ／Ｗ、
１１１    ＬＥＤ、
１１２    日本語表示パネル、
１３１    整定開始スイッチ、
１３２    ガイダンスボタン。
【図１】
2007325391.tif 000003
【図２】
2007325391.tif 000004
【図３】
2007325391.tif 000005
【図４】
2007325391.tif 000006